(57)【要約】【目的】本発明の目的は、配線及び接続端子を保護し、外観を損ねることのない配線ダクトを提供することにある。【構成】配線ダクトＡ１は、オフィスの壁に巾木として取り付けられており且つ市販品のコンセント１０（接続端子）を有する延長コードＢを保護する筒状のダクトであって、コンセント１０の延長コードＢを通すためのダクト本体１００と、ダクト本体１００の外面に設けられており且つコンセント１０を収納する収納部２００とを具備していることを特徴としている。【選択図】      図１
2004159389.tif 000002
【特許請求の範囲】
【請求項１】
接続端子を有する電源線、通信線等のコードを保護する筒状のダクトであって、前記接続端子のコードを通すためのダクト本体と、このダクト本体の外面に設けられており且つ前記接続端子を収納する収納部とを具備することを特徴とする配線ダクト。
【請求項２】
請求項１記載の配線ダクトにおいて、前記収納部は、前記ダクト本体に着脱可能にされており、前記収納部の前記ダクト本体の対向面には、係合片又は係合溝が設けられている一方、前記ダクト本体の前記収納部の対向面には、前記収納部の係合片又は係合溝と係合する係合溝又は係合片が設けられていることを特徴とする配線ダクト。
【請求項３】
請求項１又は２記載の配線ダクトにおいて、前記ダクト本体には、前記収納部の代わりに、前記コードの接続端子と一体形成された端子部が設けられていることを特徴とする配線ダクト。
【請求項４】
壁に設けられた接続部に接続可能な接続端子を有する電源線、通信線等のコードを保護する筒状のダクトであって、前記コードを通すためのダクト本体と、このダクト本体の外面に設けられた接続部材と、この接続部材に接続されており且つ壁の接続部に接続された接続端子及びそのコードを覆うように壁に設置されるカバー部とを具備することを特徴とする配線ダクト。
【請求項５】
請求項４記載の配線ダクトにおいて、前記接続部材は、前記ダクト本体に着脱自在であることを特徴とする配線ダクト。
【発明の詳細な説明】
【０００１】
【発明の属する技術分野】
本発明は、コードを保護する配線ダクトに関する。
【０００２】
【従来の技術】
近年の住宅、オフィスは、パソコンやＯＡ機器等の増加に伴って、電源線、通信線等のコードが多数存在し且つ錯綜している。従来、このようなコードは、壁や床に取り付けられる配線ダクトに収納し保護するようにしている（特許文献１及び特許文献２参照）。
【０００３】
【特許文献１】
特開平９−１７２７１６号公報
【特許文献２】
特開平９−１７２７１７号公報
【０００４】
【発明が解決しようとする課題】
しかしながら、前記配線ダクトは、前記コードを収納することはできるものの、コードの端部に設けられた接続端子を収納することができないという欠点を有している。そのため、通行時に、室内に配線ダクトから露出した接続端子が足に引っ掛かかり、配線が傷ついてしまう恐れがある。また、接続端子が室内に露出しているため、外観が損なわれるという欠点も有している。
【０００５】
本発明は、上記事情に鑑みて創案されたものであって、配線及び接続端子を保護し、外観を損ねることのない配線ダクトを提供することを目的としている。
【０００６】
【課題を解決するための手段】
本発明の配線ダクトは、接続端子を有する電源線、通信線等のコードを保護する筒状のダクトであって、前記接続端子のコードを通すためのダクト本体と、このダクト本体の外面に設けられており且つ前記接続端子を収納する収納部とを具備することを特徴としている。
【０００７】
或いは、前記ダクト本体には、前記収納部の代わりに、前記コードの接続端子と一体形成された端子部が設けられているようにしても良い。
【０００８】
本発明の別の配線ダクトは、壁に設けられた接続部に接続可能な接続端子を有する電源線、通信線等のコードを保護する筒状のダクトであって、前記コードを通すためのダクト本体と、このダクト本体の外面に設けられた接続部材と、この接続部材に接続されており且つ壁の接続部に接続された接続端子及びそのコードを覆うように壁に設置されるカバー部とを具備することを特徴としている。
【０００９】
より好ましくは、前記接続部材は、前記ダクト本体に着脱自在であることが望ましい。
【００１０】
【発明の実施の形態】
以下、本発明の実施の形態に係る配線ダクトを図面を参照しながら説明する。図１は本発明の実施の形態に係る配線ダクトの一部が透過した概略的斜視図、図２は同ダクトの収納部を説明するための図、図３は同ダクトの収納部にモジュラージャックを収納した場合を説明するための図である。
【００１１】
ここに掲げる配線ダクトＡ１は、市販品のコンセント１０（接続端子）を有する延長コードＢを保護する筒状のダクトであって、コンセント１０の延長コードＢを通すためのダクト本体１００と、ダクト本体１００の外面の任意の箇所に着脱可能に取り付けられており且つコンセント１０を収納する収納部２００とを具備している。以下、各部を詳しく説明する。
【００１２】
ダクト本体１００は、樹脂製の形成品であり、上端部が斜め下方に傾斜しており、この上端部には長さ方向にわたって開口１１０が設けられている。また、ダクト本体１００の開口縁部には、後述する蓋部１２０の係合片１２１、１２１及び収納部２００の係合片２２２、２２２と係合する係合溝１３０、１３０が設けられている。そして、ダクト本体１００の開口１１０は、後述する蓋部１２０、１２０及び収納部２００の係合部２２０によって閉塞される。
【００１３】
蓋部１２０、１２０は、後述する収納部２００の係合部２２０によって閉塞されたダクト本体１００の開口１１０の一部以外の部分をそれぞれ閉塞する蓋体であって、ダクト本体１００の開口１１０全てを閉塞する蓋から収納部２００の取付箇所に応じて適宜切り取られたものである。従って、蓋部１２０、１２０の各々の長さ寸法は、収納部２００の取付箇所に応じて適宜変更される。なお、この蓋部１２０、１２０は、閉塞すべきダクト本体１００の開口１１０部分より若干長めに切り取られている。
【００１４】
蓋部１２０、１２０の裏面側には、長さ方向にわたって係合片１２１、１２１が設けられている。この係合片１２１、１２１は、ダクト本体１００の係合溝１３０、１３０に係合される。
【００１５】
収納部２００は、樹脂製の形成品であって、コンセント１０が着脱可能な筒状の収納部本体２１０を有している。収納部本体２１０の内部はコンセント１０と嵌合し得るようにコンセント１０の外形に合わせて構成されている。
【００１６】
収納部本体２１０の表面２１２には、コンセント１０の接続部１１を露出するための露出孔２１３、２１３が２つ開設されている。一方、収納部本体２１０の裏面２１１の上端部には、係合部２２０が設けられている。この係合部２２０は、ダクト本体１００の開口１１０を閉塞する部材であって、一部には、ダクト本体１００の開口１１０と連通する連通孔２２１が開設されている。この連通孔２２１には、コンセント１０の延長コードＢが通される。
【００１７】
また、この係合部２２０は、図１又は２に示すように、開口１１０の対向面の中央部に収納部本体２１０の長さ方向にわたって係合片２２２、２２２が設けられている。この係合片２２２、２２２はダクト本体１００の係合溝１３０、１３０に係合される。これにより、収納部２００はダクト本体１００外面の任意の箇所に着脱可能に取り付けられる。なお、収納部２００とダクト本体１００とを一体的に形成するように設計変更することも可能である。
【００１８】
係合部２２０の開口１１０の対向面の両端部には、切り欠き部２２３、２２３が形成されている。この切り欠き部２２３、２２３は、収納部２００がダクト本体１００に取り付けられると、若干長めに切り取られた蓋部１２０、１２０の端部が挿入される隙間となる。これはいわゆる建材の「飲み込み」と呼ばれるものである。これにより、ダクト本体１００の開口１１０を隙間なく閉塞することができる。この「飲み込み」を設けたのは、収納部２００の取付箇所が任意であり、蓋部１２０、１２０の切り取りがオフィスで行われるため、蓋部１２０、１２０を開口１１０の閉塞すべき部分と同じ長さ寸法で切り取ることが困難となり、その結果、切り取った蓋部１２０、１２０が少しでも開口１１０の閉塞すべき部分より短いと隙間ができてしまう問題を解決するためである。
【００１９】
以下、配線ダクトＡ１の組立方法を説明する。まず、コンセント１０を収納部本体２１０に収納し、コンセント１０の延長コードＢを連通孔２２１に通す。
【００２０】
そして、この延長コードＢをダクト本体１００の開口１１０からダクト本体１００内に入れる。
【００２１】
その後、一方の蓋部１２０をダクト本体１００に取り付け、次いで、他方の蓋部１２０、収納部２００を同様にダクト本体１００に取り付ける。
【００２２】
このような配線用ダクトＡ１による場合、延長コードＢだけでなく、延長コードＢのコンセント１０も収納することができるので、オフィス内に露出したコンセント１０に引っ掛かり、延長コードＢが傷つけることがなくなる。しかも、コンセント１０は収納部２００に収納されるので、オフィスの外観を損なうこともなくなる。また、市販の延長コードＢをそのまま使用するため、専門業者による電気工事を必要とせず、容易に設置することができる。しかも、収納部２００は、ダクト本体１００のどの箇所にでも取り付けることができるので、部屋のレイアウト変更などに伴って、コンセント１０の配置を容易に変えることができる。なお、以下のように設計変更することもできる。
【００２３】
配線ダクトＡ１は、ここでは、収納部２００に市販品の延長コードＢが着脱可能に収納されるとしたが、この収納部２００の代わりに、延長コードＢのコンセント１０が一体的に設けられた端子部とすることも可能である。
【００２４】
また、配線ダクトＡ１は、ここでは、収納部２００には延長コードＢのコンセント１０が収納されるとしたが、これに限定されることはなく、他の電源線や、ＬＡＮ等の通信線等のコードを有する接続端子を収納するように設計変更することが可能である。具体的には、図３に示すように電話線（図示せず）のモジュラージャック３０（接続端子）が収納されるように設計変更することができる。
【００２５】
配線ダクトＡ１は、係合部２２０の長さ寸法を収納部本体２１０の長さ寸法よりも長く設定し、長くなった係合部２２０の開口１１０の対向面に切り欠き部２２３、２２３を形成するように設計変更ことも可能である。このようにしていわゆる「飲み込み」を構成することもできる。このとき、蓋部１２０、１２０は、開口１１０の閉塞すべき部分より若干短めに切り取るようにすると良い。
【００２６】
さらには、配線ダクトＡ１は、ここでは、ダクト本体１００には、開口１１０が設けられているとしたが、開口１１０を設けず、筒状体のダクト本体１００と設計変更することも可能である。この場合には、係合部２２０の連通孔２２１と連通する貫通孔を設け、ダクト本体１００の収納部２００の対向面には、係合溝又は係合片を設ける一方、収納部２００のダクト本体１００の対向面には、係合片又は係合溝を設けるようにすると良い。なお、係合溝だけに限定されず、係合片と係合する係合孔等を設けることも可能である。
【００２７】
また、ダクト本体１００には、係合溝１３０、１３０が設けられているとしたが、係合片を設けることも可能である。この場合、蓋部１２０及び係合部２２０には、前記係合片を係合する係合溝を設けるようにすると良い。
【００２８】
以下、本発明の実施の形態に係る配線ダクトＡ２を図面を参照しながら説明する。図４は本発明の実施の形態に係る別の配線ダクトの使用状態を説明するための図、図５は同ダクトの接続部材を説明するための図、図６は同ダクトのカバー部を説明するための図である。
【００２９】
ここに掲げる配線ダクトＡ２は、オフィスの壁Ｃに巾木として取り付けられている。この配線ダクトＡ２は、壁Ｃに設けられた電源コンセント１（接続部）に接続可能なプラグ２０（接続端子）を有する延長コードＢを保護する筒状のダクトであって、プラグ２０の延長コードＢを通すためのダクト本体３００を有している。
【００３０】
このダクト本体３００は、配線ダクトＡ１のダクト本体１００と同様の構成となっているため、説明を省略する。このダクト本体３００の外面には、接続部材５００が着脱可能に取り付けられる。なお、配線ダクトＡ２のダクト本体には、便宜上３００台の符号を付す。
【００３１】
蓋部３２０、３２０は、配線ダクトＡ１のダクト本体１００と同様にダクト本体３００の開口３１０すべてを閉塞する蓋から切り取られたものである。この蓋部３２０、３２０は、ダクト本体３００に接続部材５００が取り付けられた状態で、後述する接続部本体５１０とダクト本体３００の開口３１０とが連通するように切り取られている。
【００３２】
この接続部材５００は、図５に示すように、樹脂製の形成品であって、延長コードＢが通される断面視略凹型の接続部本体５１０を有している。この接続部本体５１０には、下端部５１１の両端から外側に向けて各々蓋体５２０、５２０が延設されている。接続部材５００は、蓋体５２０、５２０に両面テープ、接着剤等を付けることによって、ダクト本体３００に取り付けられた蓋部３２０、３２０の端部に取り付けられる。なお、接続部材５００は、ダクト本体３００に一体的に設けられるようにすることも可能である。
【００３３】
接続部材５００の上端部５１２には、カバー部４００が着脱可能に取り付けられる。このカバー部４００は、図４又は６に示すように、断面視略凹字型の樹脂製の形成品であり、壁Ｃの電源コンセント１からダクト本体３００までの距離に応じて必要な長さに切断されたものである。また、カバー部４００のの大きさは、壁Ｃに取り付けられた接続部本体５１０を覆うことができる大きさに形成されている。これにより、カバー部４００の下端部４１０は、接続部材５００の上端部５１２に嵌合し取り付けられる。このように構成としたことにより、いわゆる「飲み込み」を構成することができる。従って、カバー部４００を壁Ｃの電源コンセント１からダクト本体３００までの距離よりも若干短めに切断し、カバー部４００の下端部４１０と接続部材５００の上端部５１２とをスライドさせるによって長さ調整することができる。
【００３４】
カバー部４００の上端部４２０は、上端が湾曲しており、壁Ｃに当接する面が電源コンセント１の形状に合わせて切り欠かれている。これにより、電源コンセント１に接続されたプラグ２０を覆うことができる。なお、断面視略凹字型である必要はなく、電源コンセント１に接続されたプラグ２０及びプラグ２０の延長コードＢを覆うことができるもの、例えば筒状のもの等に、適宜設計変更可能である。
【００３５】
以下、配線ダクトＡ２の組立方法について説明する。まず、壁Ｃの電源コンセント１にプラグ２０を接続する。
【００３６】
その後、延長コードＢを接続部材５００に通す。そして、この接続部材５００をダクト本体３００に両面テープで取り付ける。これにより、延長コードＢはダクト本体３００内に収納される。
【００３７】
その後、壁Ｃの電源コンセント１に接続されたプラグ２０及び及び延長コードＢを覆うように接続部材５００にカバー部４００を取り付ける。
【００３８】
このような配線ダクトＡ２による場合、壁Ｃの電源コンセント１に接続されたプラグ２０及びプラグ２０の延長コードＢをカバー部４００で覆うことができるので、オフィスの外観を損ねるというようなことがなくなる。なお、以下のように設計変更することが可能である。
【００３９】
配線ダクトＡ２は、ここでは、カバー部４００で壁Ｃに設けられた電源コンセント１に接続されプラグ２０及びプラグ２０の延長コードＢを覆うとしたが、これに限定されることはなく、他の電源線、壁Ｃに設けられたＬＡＮポートに接続されたＬＡＮ用端子及びＬＡＮケーブル等の通信線又は壁Ｃに設けられたモジュラージャックに接続された電話線等を覆うように設計変更することが可能である。
【００４０】
また、配線ダクトＡ２は、ここでは、ダクト本体３００には、開口３１０が設けられているとしたが、開口３１０を設けず、筒状体のダクト本体３００とすることも可能である。この場合には、断面視略凹字型の接続部材本体５１０と連通する貫通孔を設けるようにすると良い。
【００４１】
さらには、配線ダクトＡ２の接続部材５００は、両面テープを用いてダクト本体３００に取り付けられるとしたが、接着剤等を用いることも可能である。また、接続部材５００に係合片／係合孔を設ける一方、ダクト本体３００に前記係合片／係合孔と係合する係合孔／係合片を設けるように設計変更することも可能である。
【００４２】
なお、配線ダクトＡ１、Ａ２は、ここでは、オフィスの壁に巾木として取り付けられるとしたが、配線ダクトＡと同様これに限定されることはなく、オフィスの机等に取り付けられる配線ダクトとしても用いることができる。また、オフィスだけでなく、一般の住宅等の室内で用いることも当然可能である。また、配線ダクトＡ１、Ａ２は、ここでは別々に説明したが、両者を一つの配線ダクトとして用いることも当然可能である。
【００４３】
【発明の効果】
本発明の請求項１の配線ダクトは、接続端子を有する電源線、通信線等のコードを保護する筒状のダクトであって、前記接続端子のコードを通すためのダクト本体と、このダクト本体の外面に設けられており且つ前記接続端子を収納する収納部とを具備することを特徴としている。
【００４４】
このような請求項１の配線ダクトによる場合、前記接続端子が前記収納部に収納されるので、前記接続端子が露出することがない。その結果、露出した前記接続端子に引っ掛かって、前記接続端子のコードを傷付けることがなくなる。しかも、前記接続端子が露出していないので、室内の外観が損なわれない。
【００４５】
本発明の請求項２の配線ダクトは、請求項１の配線ダクトにおいて、前記収納部は、前記ダクト本体に着脱可能にされており、前記収納部の前記ダクト本体の対向面には、係合片又は係合溝が設けられている一方、前記ダクト本体の前記収納部の対向面には、前記収納部の係合片又は係合溝と係合する係合溝又は係合片が設けられている。
【００４６】
このような請求項２の配線ダクトによる場合、前記収納部を前記ダクトブロックから取り外した状態で、前記収納部に前記接続端子を収納させることができるので、前記接続端子の取り付けが簡単になる。
【００４７】
本発明の請求項３の配線ダクトに用いられる端子ユニットは、請求項１又は２記載の配線ダクトにおいて、前記ダクト本体には、前記収納部の代わりに、前記コードの接続端子と一体形成された端子部が備えられている。
【００４８】
このような請求項３の配線ダクトによる場合、接続端子を有するコードを別途購入する必要がなくなる。
【００４９】
本発明の請求項４の配線ダクトは、壁に設けられた接続部に接続可能な接続端子を有する電源線、通信線等のコードを保護する筒状のダクトであって、前記コードを通すためのダクト本体と、このダクト本体の外面に設けられた接続部材と、この接続部材に接続されており且つ壁の接続部に接続された接続端子及びそのコードを覆うように壁に設置されるカバー部とを具備することを特徴としている。
【００５０】
本発明の請求項５の配線ダクトは、前記接続部材は、前記ダクト本体に着脱自在であることを特徴としている。
【００５１】
このような請求項４及び５の配線ダクトによる場合、壁の接続部に接続された接続端子及びそのコードを覆い隠すことができるので、室内の外観が損なわれない。
【図面の簡単な説明】
【図１】本発明の実施の形態に係る配線ダクトの一部が透過した概略的斜視図である。
【図２】図２は同ダクトの収納部を説明するための図である。
【図３】同ダクトの収納部にモジュラージャックを収納した場合を説明するための図である。
【図４】本発明の実施の形態に係る別の配線ダクトの使用状態を説明するための図である。
【図５】同ダクトの接続部材を説明するための図である。
【図６】同ダクトのカバー部を説明するための図である。
【符号の説明】
Ａ１    配線ダクト
１００  ダクト本体
２００  収納部
Ａ２    配線ダクト
３００  ダクト本体
４００  カバー部
５００  接続部材
Ｂ      延長コード
１０    コンセント
２０    プラグ
Ｃ      壁
１      電源コンセント
【図１】
2004159389.tif 000003
【図２】
2004159389.tif 000004
【図３】
2004159389.tif 000005
【図４】
2004159389.tif 000006
【図５】
2004159389.tif 000007
【図６】
2004159389.tif 000008